(57)【要約】      （修正有）【課題】ユーザの背中によって後方に押されると傾くことができる傾動可能な背凭れを備えた椅子を提供する。【解決手段】弾性ジョイント３０のそれぞれが、それぞれの側面部に取り付けられたブッシング３２と上端部４２が前記ブッシングの上端壁３６に押さえつけられ、かつ長手方向の軸線Ａを有する螺旋状バネ４０と、螺旋状バネの下端部４４に押さえつけられた圧縮要素４６と、背凭れの対応する側面部に取り付けられた上側のアタッチメント８０と、上端部７０と下端部６８を有する接続ロッド６６とを備え、上端部と下端部が、互いに平行し、かつ長手方向の軸線Ａに対して直交するように横断し、それぞれの軸線Ｃ，Ｂを回転中心線としてそれぞれの上側のアタッチメントと圧縮要素とを関節接合し、接続ロッドの上端部と各弾性ジョイントの上側のアタッチメントとの間にある垂直軸線Ｃが、長手方向の軸線Ａに対して前側に離間されている。【選択図】図４
2015029904.tif 000002
【特許請求の範囲】
【請求項１】
二つの管状支柱（２２）を有する固定支持構造（１２）と、
二つの側面部（２８）を有する背凭れ（２４）と、
前記背凭れ（２４）の側面部（２８）を前記管状支柱（２２）に接続する一対の弾性ジョイント（３０）とかならなる椅子において、
前記弾性ジョイント（３０）のそれぞれが、
それぞれの側面部（２８）に取り付けられたブッシング（３２）と
上端部（４２）が前記ブッシング（３２）の上端壁（３６）に押さえつけられ、かつ長手方向の軸線Ａを有する螺旋状バネ（４０）と、
前記螺旋状バネ（４０）の下端部（４４）に押さえつけられた圧縮要素（４６）と、
前記背凭れ（２４）の対応する側面部（２８）に取り付けられた上側のアタッチメント（８０）と、
上端部（７０）と下端部（６８）を有する接続ロッド（６６）とを備え、
前記上端部（７０）と下端部（６８）が、互いに平行し、かつ前記長手方向の軸線Ａに対して直交するように横断し、それぞれの軸線Ｃ，Ｂを回転中心線として前記それぞれの上側のアタッチメント（８０）と前記圧縮要素（４６）とを連接し、
前記接続ロッド（６６）の上端部（７０）と前記各弾性ジョイント（３０）の上側のアタッチメント（８０）との間にある垂直軸線Ｃが、前記長手方向の軸線Ａに対して前方に離間されていることを特徴とする椅子。
【請求項２】
請求項１に記載の椅子において、前記上側のアタッチメント（８０）と前記ブッシング（３２）との間に配置されたプラスチック材質のリング（８８）を有する弾性ジョイント（３０）を備えることを特徴とする椅子。
【請求項３】
請求項２に記載の椅子において、前記リング（８８）と前記上側のアタッチメント（８０）とが、互いに接触する接触面（９２），（９２）を有し、前記接触面（９２），（９２）が、相補的な形状を有することを特徴とする椅子。
【請求項４】
請求項１に記載の椅子において、前記接続ロッド（６６）が、前記上側のアタッチメント（８０）の溝部（８４）に格納され、かつ前方に向かって湾曲するように形成された上端部（７０）を備え、前記接続ロッド（６６）の上端部（７０）が、ピン（７８）によって前記上側のアタッチメント（８０）に連接されることを特徴とする椅子。
【請求項５】
請求項２に記載の椅子において、前記各弾性ジョイント（３０）が、前記上側のアタッチメント（８０）と前記リング（８８）との間の接触範囲に取り付けられた保護用弾性要素（１０２）を有することを特徴とする椅子。
【発明の詳細な説明】
【技術分野】
【０００１】
本発明は、ユーザの背中によって後方に押されると傾くことができる、傾動可能な背凭れを備えた椅子に関する。
【背景技術】
【０００２】
本技術領域では、様々な周知の解決方案がある。より具体には、一対の弾性ジョイントを介して固定支持構造に接続する背凭れを備えた椅子において、前記弾性ジョイントが、各背凭れの管状部分に挿入された上側支持部と、固定支持構造の管状要素に挿入された下側支持部と、上側支持部と下側支持部との間での傾動を許容する弾性要素とを備える。
【０００３】
例えば、本発明と同一出願人の特許文献１に記載された椅子では、ベース構造は二つの後部管状要素を有し、背凭れは二つの管状部分と二つの弾性装置を備える。弾性装置は背凭れの管状部分に挿入された上側支持部と、バース構造の対応する管状要素に挿入された下側支持部と、上側支持部と下側支持部との間で傾動できるように撓み変形が可能な弾性要素とを備える。弾性装置は上側支持部と下側支持部との間に互いに積み重ねて配置された複数のセクターを備える。
【先行技術文献】
【特許文献】
【０００４】
【特許文献１】欧州特許出願公開第２１８３９９７号明細書
【発明の概要】
【発明が解決しようとする課題】
【０００５】
従来技術では、撓み変形可能な弾性要素の変形は、ユーザの背中によって後方に加えられた弾性応力に応じて一定範囲内に制限される。
理論上は、例えば、螺旋状圧縮ばねによって弾性要素を圧縮することで、弾性ジョイントにより提供された応力を増加し、この応力はユーザから加えられた後方への押す力と相殺できる。しかし、螺旋状圧縮ばねが、背凭れの側面部と同軸に配置されているため、圧縮ばねのレバーアームが制限される。
【課題を解決するための手段】
【０００６】
本発明の目的はユーザにより椅子の背凭れに加えた押す力と相殺する高い弾性応力を提供することが可能であり、シンプルで丈夫な傾動可能な弾性ジョイントを有する背凭れを備えた椅子を提供することである。
【０００７】
本発明の対象はクレーム１の構成を備えることを特徴とする椅子である。
クレームには本発明に関する全体構造がすべて含まれている。
【図面の簡単な説明】
【０００８】
【図１】本発明に係わる椅子の休止位置の側面図。
【図２】図１の椅子の背凭れが後方のへ傾斜位置にある状態を示す側面図。
【図３】図１において矢印ＩＩＩにて示される部品の軸方向断面図。
【図４】図３に類似して、椅子の背凭れが最大傾斜状態にあるときの部品の軸方向断面図。
【図５】は図１において矢印ＩＩＩによって示される弾性ジョイントの分解斜視図。
【発明を実施するための形態】
【０００９】
図１及び図２を参照すると、符号１０は本発明の椅子を示す。椅子１０は一対の前脚１４と一対の後脚１６を有する固定支持構造１２を備える。前記前脚１４及び後脚１６は上側接続要素１８によって相互接続される。台座２０は前記固定支持構造１２の上側接続要素１８に固定される。
【００１０】
前記固定支持構造１２は上方に延びる二つの管状支柱２２を備える。前記二つの管状支柱２２は固定支持構造１２に取り付けられる。例えば、前記管状支柱２２は上側接続要素１８に取り付けられてもよい。
【００１１】
前記椅子１０は背凭れ２４を備え、前記背凭れ２４は前記固定支持構造１２に傾動可能に接合される。前記背凭れ２４は弓状の背凭れパネル２６と、前記背凭れパネル２６に対して反対方向に配置される側面部２８とを有する。前記背凭れパネル２６と側面部２８とが一体に形成されてもよい。前記背凭れ２４の側面部２８はそれぞれの弾性ジョイント３０を用いて、固定支持構造１２のそれぞれの管状支柱２２に接続される。
【００１２】
図５を参照すると、各弾性ジョイント３０はブッシング３２を備える。前記ブッシング３２は下端が開放する下端部と、上端が上端壁３６を備える筒状壁３４を有する。更に、前記ブッシング３２には上端壁３６から上方に突出する突出部３８が取り付けられてもよい。
【００１３】
前記弾性ジョイント３０はブッシング３２の筒状壁３４に格納された螺旋状バネ４０を備える。前記螺旋状バネ４０はブッシング３２の筒状壁３４の軸線と同軸の長手方向の軸線Ａを有する。前記螺旋状バネ４０は上端部４２と下端部４４を有する。前記上端部４２はブッシング３２の上端壁３６に押え付けされる。前記下端部４４は圧縮要素４６に押え付けされる。本実施例では、前記圧縮要素４６はプラスチック材質のボディ部４８と金属材質のワッシャー５０から形成される。前記プラスチック材質のボディ部４８は筒状部分５２を有する。前記筒状部分５２をスライドさせることで前記ブッシング３２の下端部に嵌め合わせる。前記筒状部分５２の下端部には径方向に延びる突出部５４が形成される。前記圧縮要素４６のボディ部４８は断面が長方形の貫通穴５６を有する。前記ワッシャー５０は前記ボディ部４８の下側の表面部に押え付けられる。前記ワッシャー５０は前記ボディ部４８の貫通穴５６の位置を合わせた、断面が長方形の貫通穴５８を有する。望ましくは、前記ワッシャー５０は凸形状を有する凸状部６０を有し、前記凸状部６０は前記凸状部６０に対応する前記ボディ部４８の下側の表面部に形成された凹形座部６２に嵌め合うように形成される。前記ワッシャー５０は前記凸状部６０と反対方向の表面に凹形座部６４を有する。
【００１４】
前記弾性ジョイント３０は強固な接続ロッド６６を有する。接続ロッド６６の材質は金属であることが好ましい。前記接続ロッド６６の断面は長方形であることが好ましい。前記接続ロッド６６は下端部６８と上端部７０を有する。上下端部にはそれぞれの穴７２，７４が設けられ、それぞれの穴にはピン７６，７８が組み付けられる。前記ピン７６，７８の軸線は軸線Ｂ，Ｃで表示される。前記軸線Ｂ，Ｃは互いに平行し、前記バネ４０の軸線Ａを直交するように横断する。
【００１５】
前記弾性ジョイント３０は軸部８２を有する上側のアタッチメント８０を備え、前記軸部８２は前記背凭れ２４のそれぞれの側面部２８の下端部に形成された穴に取付けられる。前記上側のアタッチメント８０は溝部８４を有し、前記溝部８４には前記接続ロッド６６の上端部７０が挿入される。更に、前記上側のアタッチメント８０は横穴８６を有する。前記横穴８６に前記上側のピン７８を挿入することで前記接続ロッド６６の上端部７０と前記上側のアタッチメント８０を連接される。
【００１６】
前記弾性ジョイント３０は前記ブッシング３２の突出部３８に取付けられたプラスチック材質のリング８８を有することが好ましい。前記リング８８は前記ブッシング３２の上端壁３６に押え付けられた下端部と、前記上側のアタッチメント８０の下端部９２に押え付けられた上端部９０を有する。図３及び図４に示すように、前記リング８８の上端部９０と前記上側のアタッチメント８０の下端部９２の形状を相補するため、それぞれの端部には突出及び凹む形状が形成されることが好ましい。
【００１７】
図３及び図４に示すように、例えば、ハンマーを用いて、前記各弾性ジョイント３０のブッシング３２を前記固定支持構造１２の対応する管状支柱２２の上端部に取付ける。
前記接続ロッド６６の下端部６８は前記ボディ部４８の貫通穴５６，５８及び前記圧縮要素４６のワッシャー５０を貫通する。前記下側のピン７６は前記接続ロッド６６の下端部６８と前記圧縮要素４６とを連接する。前記ピン７６は前記ワッシャー５０の凹形座部６４に格納される。前記上下端部６８，７０の間にある前記接続ロッド６６の中央部は前記螺旋状バネ４０及び前記ブッシング３２の上側の部分に形成された貫通穴９４を貫通する。
【００１８】
前記接続ロッド６６の上端部７０は前記リング８８の上側から突出し、前方に向かって湾曲するように形成される。このように、前記接続ロッド６６の上端部７０と前記上側のアタッチメント８０の間にある垂直軸線Ｃは前記螺旋状バネ４０の長手方向の軸線Ａに対して距離ｄで移動される。（図３参照）前記圧縮要素４６の接続ロッド６６の下端部６８にある垂直軸線Ｂは前記螺旋状バネ４０の長手方向の軸線Ａに直交する。
【００１９】
従って、他の条件が同じで、前記螺旋状バネ４０によって前記背凭れ２４に弾性トルクが加えられ場合、前記軸線Ｃが螺旋状バネ４０の長手軸線Ａに対して前に変位する効果が増加している。ユーザの背中によって前記背凭れ２４が後方へ押される時、前記上側のアタッチメント８０は図３及び図４に示された点Ｆを支点として後方へ傾動する。前記支点Ｆは上側のアタッチメント８０とリング８８との接触面の間における相対回転の接触点として定義される。前記支点Ｆに対して前記上側のアタッチメント８０の回転によって前記接続ロッド６６を経由して前記バネ４０を圧縮する。前記バネ４０により生じた弾性反力は前記支点Ｆに対してレバーアームｄｌを有する。前記垂直軸線Ｃの変位によってレバーアームｄｌが増加する。したがって、前記垂直軸線Ｃの変位によって前記バネ４０により生じた軸力が一定の場合でも、前記背凭れ２４に与えられた高いトルクが得られる。そのトルクはユーザにより後方に加えた押す力を相殺できる。
【００２０】
図４に示すように、背凭れが後方への最大傾斜位置にある場合、前記圧縮要素４６の径方向の突出部５４は前記ブッシング３２の下端部に押え付けられ、背凭れがより後方へ傾斜することを防ぐためのストローク端部として形成される。
【００２１】
又、前記背凭れ２４の側面部２８及びそれの対応する上側のアタッチメント８０の間の組み付け部分を補強するため、前記各弾性ジョイント３０には補強ピン９６が挿入されてもよい。（図３，４参照）前記補強ピン９６の上端部は前記背凭れ２４の側面部２８の穴９８に内挿入され、前記補強ピン９６の下端部はそれぞれの上側のアタッチメント８０の穴１００に内挿入される。
【００２２】
前記弾性ジョイント３０は保護用弾性要素１０２を備えてもよい。前記上側のアタッチメント８０と前記リング８８との接触面の間のボディ部もしくはガーメントがつれることを避けるため、前記保護用弾性要素１０２は前記上側のアタッチメント８０と前記リング８８との間の接触範囲における外周側の同軸上に配置される。
【００２３】
勿論、本発明の様々な改良及び変更が、本発明の原理及び添付した請求項の範囲による本発明の範囲から外れない限りにおいて実施されることは可能である。
【図１】
2015029904.tif 000003
【図２】
2015029904.tif 000004
【図３】
2015029904.tif 000005
【図４】
2015029904.tif 000006
【図５】
2015029904.tif 000007